(57)【要約】【課題】タッチセンサの利便性を向上させた電子機器、キャリブレーション方法、およびプログラムを提供する。【解決手段】電子機器１０は、押下可能な物理キー１１に対する操作を検出可能な物理キーセンサ１３と、物理キーセンサ１３の近傍に設けられたタッチセンサ１４と、制御部２２と、を備える。制御部２２は、物理キー１１に対する操作に基づき、タッチセンサ１４のキャリブレーションを実行する。【選択図】図１
2017142782.tif 000002
【特許請求の範囲】
【請求項１】
押下可能な物理キーに対する操作を検出可能な物理キーセンサと、
前記物理キーセンサの近傍に設けられたタッチセンサと、
制御部と、を備え、
前記制御部は、前記物理キーに対する操作に基づき、前記タッチセンサのキャリブレーションを実行する、電子機器。
【請求項２】
押下可能な物理キーと、
前記物理キーの押下方向において前記物理キーの少なくとも一部と重なって位置するタッチセンサと、
制御部と、を備え、
前記制御部は、前記物理キーに対する操作に基づき、前記タッチセンサのキャリブレーションを実行する、電子機器。
【請求項３】
請求項１または２に記載の電子機器であって、
前記制御部は、前記タッチセンサをリセットすることによって、前記タッチセンサのキャリブレーションを実行する、電子機器。
【請求項４】
請求項１または２に記載の電子機器であって、
前記制御部は、前記タッチセンサの制御を実行可能な第１制御部と、該第１制御部の制御を実行可能な第２制御部と、を有しており、
前記第２制御部は、前記物理キーに対する前記操作に基づき、前記第１制御部を再起動させ、
前記第１制御部は、再起動すると前記タッチセンサのキャリブレーションを実行する、電子機器。
【請求項５】
請求項１乃至４の何れか一項に記載の電子機器であって、
前記制御部は、前記物理キーのリリースに基づき、前記タッチセンサのキャリブレーションを実行する、電子機器。
【請求項６】
請求項５に記載の電子機器であって、
前記制御部は、前記物理キーのリリースの検出時に、前記タッチセンサのキャリブレーションを実行する、電子機器。
【請求項７】
請求項５に記載の電子機器であって、
前記制御部は、前記物理キーのリリースの検出時から所定時間経過後に、前記タッチセンサのキャリブレーションを実行する、電子機器。
【請求項８】
請求項１乃至４の何れか一項に記載の電子機器であって、
前記制御部は、前記物理キーの押下に基づき、前記タッチセンサのキャリブレーションを実行する、電子機器。
【請求項９】
請求項５に記載の電子機器であって、
前記制御部は、前記物理キーの押下の検出時に、前記タッチセンサのキャリブレーションを実行する、電子機器。
【請求項１０】
請求項５に記載の電子機器であって、
前記制御部は、前記物理キーの押下の検出時から所定時間経過後に、前記タッチセンサのキャリブレーションを実行する、電子機器。
【請求項１１】
押下可能な物理キーに対する操作を検出可能な物理キーセンサと、前記物理キーセンサの近傍に設けられたタッチセンサと、制御部と、を備える電子機器が実行するキャリブレーション方法であって、
前記物理キーに対する操作を受け付けるステップと、
前記物理キーに対する前記操作に基づき、前記タッチセンサのキャリブレーションを実行するステップと、
を含む、キャリブレーション方法。
【請求項１２】
押下可能な物理キーと、前記物理キーの押下方向において前記物理キーの少なくとも一部と重なって位置するタッチセンサと、制御部と、を備える電子機器が実行するキャリブレーション方法であって、
前記物理キーに対する操作を受け付けるステップと、
前記物理キーに対する前記操作に基づき、前記タッチセンサのキャリブレーションを実行するステップと、
を含む、キャリブレーション方法。
【請求項１３】
押下可能な物理キーに対する操作を検出可能な物理キーセンサと、前記物理キーセンサの近傍に設けられたタッチセンサと、制御部と、を備える電子機器に、
前記物理キーに対する操作を受け付けるステップと、
前記物理キーに対する前記操作に基づき、前記タッチセンサのキャリブレーションを実行するステップと、
を実行させる、プログラム。
【請求項１４】
押下可能な物理キーと、前記物理キーの押下方向において前記物理キーの少なくとも一部と重なって位置するタッチセンサと、制御部と、を備える電子機器に、
前記物理キーに対する操作を受け付けるステップと、
前記物理キーに対する前記操作に基づき、前記タッチセンサのキャリブレーションを実行するステップと、
を実行させる、プログラム。
【発明の詳細な説明】
【技術分野】
【０００１】
本発明は、電子機器、キャリブレーション方法、およびプログラムに関し、特に、物理キーおよびタッチセンサを備える電子機器、キャリブレーション方法、およびプログラムに関する。
【背景技術】
【０００２】
従来、例えば携帯電話または音楽プレーヤなどの電子機器において、押下可能な物理キーと、タッチセンサと、を備える構成が知られている。例えば特許文献１には、テンキーボタンが配列されたキーマットと、テンキーボタンに対応するコンタクトが配列されたキー基板と、の間に静電容量パッドを有する携帯型電子機器が開示されている。
【先行技術文献】
【特許文献】
【０００３】
【特許文献１】特開２００５−０１８２８４号公報
【発明の概要】
【発明が解決しようとする課題】
【０００４】
本発明の目的は、タッチセンサの利便性を向上させた電子機器、キャリブレーション方法、およびプログラムを提供することにある。
【課題を解決するための手段】
【０００５】
本発明の一実施形態に係る電子機器は、
押下可能な物理キーに対する操作を検出可能な物理キーセンサと、
前記物理キーセンサの近傍に設けられたタッチセンサと、
制御部と、を備え、
前記制御部は、前記物理キーに対する操作に基づき、前記タッチセンサのキャリブレーションを実行する。
【０００６】
また、本発明の一実施形態に係る電子機器は、
押下可能な物理キーと、
前記物理キーの押下方向において前記物理キーの少なくとも一部と重なって位置するタッチセンサと、
制御部と、を備え、
前記制御部は、前記物理キーに対する操作に基づき、前記タッチセンサのキャリブレーションを実行する。
【０００７】
また、本発明の一実施形態に係る表示制御方法は、
押下可能な物理キーに対する操作を検出可能な物理キーセンサと、前記物理キーセンサの近傍に設けられたタッチセンサと、制御部と、を備える電子機器が実行するキャリブレーション方法であって、
前記物理キーに対する操作を受け付けるステップと、
前記物理キーに対する前記操作に基づき、前記タッチセンサのキャリブレーションを実行するステップと、を含む。
【０００８】
また、本発明の一実施形態に係る表示制御方法は、
押下可能な物理キーと、前記物理キーの押下方向において前記物理キーの少なくとも一部と重なって位置するタッチセンサと、制御部と、を備える電子機器が実行するキャリブレーション方法であって、
前記物理キーに対する操作を受け付けるステップと、
前記物理キーに対する前記操作に基づき、前記タッチセンサのキャリブレーションを実行するステップと、を含む。
【０００９】
また、本発明の一実施形態に係るプログラムは、
押下可能な物理キーに対する操作を検出可能な物理キーセンサと、前記物理キーセンサの近傍に設けられたタッチセンサと、制御部と、を備える電子機器に、
前記物理キーに対する操作を受け付けるステップと、
前記物理キーに対する前記操作に基づき、前記タッチセンサのキャリブレーションを実行するステップと、を実行させる。
【００１０】
また、本発明の一実施形態に係るプログラムは、
押下可能な物理キーと、前記物理キーの押下方向において前記物理キーの少なくとも一部と重なって位置するタッチセンサと、制御部と、を備える電子機器に、
前記物理キーに対する操作を受け付けるステップと、
前記物理キーに対する前記操作に基づき、前記タッチセンサのキャリブレーションを実行するステップと、を実行させる。
【発明の効果】
【００１１】
本発明の実施形態に係る電子機器、キャリブレーション方法、およびプログラムによれば、電子機器のタッチセンサの利便性が向上する。
【図面の簡単な説明】
【００１２】
【図１】本発明の一実施形態に係る電子機器の外観を示す図である。
【図２】物理キーセンサおよびタッチセンサを示す図である。
【図３】物理キーの押下方向に沿った平面による電子機器の要部断面図である。
【図４】樹脂製のタッチペンで物理キーを押下したときにタッチセンサが検出する静電容量の分布の例を示す図である。
【図５】ユーザの爪で物理キーを押下したときにタッチセンサが検出する静電容量の分布の例を示す図である。
【図６】ユーザの指で物理キーを押下したときにタッチセンサが検出する静電容量の分布の例を示す図である。
【図７】電子機器のハードウェア構成を示すブロック図である。
【図８】樹脂製のタッチペンで物理キーが操作される場合の、物理キーセンサおよびタッチキーセンサの応答を示す図である。
【図９】電子機器の第１の動作を説明するフローチャートである。
【図１０】ユーザの指で物理キーが操作される場合の、物理キーセンサおよびタッチキーセンサの応答を示す図である。
【図１１】電子機器の第２の動作を説明するフローチャートである。
【図１２】実施形態の変形例において、ユーザの指で物理キーが操作される場合の、物理キーセンサおよびタッチキーセンサの応答を示す図である。
【発明を実施するための形態】
【００１３】
以下、本発明の実施形態について、図面を参照して説明する。
【００１４】
はじめに、図１を参照して、本発明の一実施形態に係る電子機器１０について説明する。本実施形態において、電子機器は携帯電話であるが、例えば音楽プレーヤ、スマートフォン、タブレット、携帯型パソコン、デジタルカメラ、メディアプレイヤ、電子書籍リーダ、ナビゲータ、およびゲーム機など任意の電子機器であってもよい。
【００１５】
電子機器は、１以上の物理キー１１と、操作パッド１２と、を備える。
【００１６】
各物理キー１１は、表面から裏面に向かう方向（押下方向）に押下可能に設けられる。各物理キー１１の表面には、例えば、数字または記号などが印刷されてよい。各物理キー１１の表面は、キートップ面と呼んでよい。本実施形態において、物理キー１１は、例えば樹脂などの誘電体を含んで構成される。例えば、物理キー１１に含まれる樹脂の比誘電率は、１以上（例えば、３程度）であってもよい。以下の説明において、物理キー１１を押下する操作を押下操作といい、例えば物理キー１１への押圧を弱めて物理キー１１が押下された状態を解除する（リリースする）操作をリリース操作ともいう。
【００１７】
操作パッド１２は、後述する投影型静電容量方式のタッチセンサ１４を用いて、電子機器に対するユーザ操作を受け付けるユーザインターフェースである。本実施形態では、電子機器の筐体表面（外観面）における、１以上の物理キー１１を取り囲む領域（図１における一点鎖線）が、操作パッド１２として機能する。操作パッドとして機能する領域には、物理キー１１の表面が含まれている。かかる構成によれば、物理キー１１と操作パッド１２とを狭い面積に収めることができる。かかる構成は、例えば携帯電話または携帯音楽プレーヤなどの小型の機器に好適である。
【００１８】
電子機器の筐体の内部には、例えば図２に示すように、１以上の物理キー１１（図中では、一点鎖線で示される。）それぞれに対する操作を検出可能な１以上の物理キーセンサ１３と、操作パッド１２に対する操作を検出可能なタッチセンサ１４と、が設けられる。例えば、１以上の物理キーセンサ１３およびタッチセンサ１４は、電子機器の筐体の内部において物理キー１１の押下方向にある基板１５の上に位置する。
【００１９】
タッチセンサ１４は、例えば投影型静電容量方式のセンサであって、物理キーセンサ１３（および物理キー１１）の近傍に設けられる。ここで近傍とは、例えば物理キー１１を押下する導体（例えば、ユーザの指）をタッチセンサ１４が検出し得る程度に、物理キーセンサ１３とタッチセンサ１４との距離が近いことを意味する。本実施形態において、例えば図２に示すように、１以上の物理キーセンサ１３の周囲を取り囲むように、各物理キーセンサ１３と略隣りに（例えば、略隣接して）タッチセンサ１４が配置される。換言すると、基板１５上において、１以上の物理キーセンサ１３が配置される領域を避けて、タッチセンサ１４が配置される。
【００２０】
投影型静電容量方式のタッチセンサ１４は、駆動電極（送信アンテナ）および受信電極（受信アンテナ）を備えており、駆動電極と受信電極との間の静電容量を検出する。本実施形態において、タッチセンサ１４によって検出される静電容量は、後述するキャリブレーションの実行時における静電容量と、現在時刻における静電容量と、の差分値である。
【００２１】
例えばユーザの指などの導体がタッチセンサ１４に接近すると、タッチセンサ１４が検出する静電容量が増加する。すなわち、タッチセンサ１４に接近する導体は、タッチセンサ１４が検出する静電容量を増加させる影響を及ぼす。一方、後述するように、樹脂などの誘電体を含んで構成される物理キー１１が押下されてタッチセンサ１４に接近すると、タッチセンサ１４が検出する静電容量が減少する。すなわち、タッチセンサ１４に接近する誘電体は、タッチセンサ１４が検出する静電容量を減少させる影響を及ぼす。
【００２２】
したがって、物理キー１１が操作される場合、タッチセンサ１４は、物理キー１１を押下する物体と、物理キー１１と、の双方から影響を受ける。物理キー１１に対する操作に応じてタッチセンサ１４が検出する静電容量の詳細については後述する。
【００２３】
次に、図３（ａ）および図３（ｂ）を参照して、物理キー１１と、物理キーセンサ１３およびタッチセンサ１４が設けられた基板１５と、の位置関係について説明する。図３（ａ）および図３（ｂ）においては説明の簡便のため、例えば電子機器の筐体、および各物理キー１１を押下可能に保持する保持部材（例えば、キーラバー）などの他の構成要素の図示を省略している。
【００２４】
例えば図３（ａ）に示すように、物理キー１１には、裏面から突出する突出部１６が一体的に形成されている。物理キーセンサ１３およびタッチセンサ１４が設けられた基板１５は、物理キー１１の裏面と対向して、電子機器の筐体に対して固定的に配置される。
【００２５】
物理キーセンサ１３は、例えば皿ばね１７（例えば、メタルドーム）およびキースイッチ１８を含んで構成される。またタッチセンサ１４は、皿ばね１７の径方向外側において、皿ばね１７と略隣りに設けられる。また本実施形態では、物理キー１１の押下方向に、物理キー１１の少なくとも一部とタッチセンサ１４とが重なって位置している。以下、押下方向に物理キー１１の少なくとも一部とタッチセンサ１４とが重なっている領域を、重なり領域ともいう。
【００２６】
図３（ａ）は、物理キー１１が押下されていない状態（リリース状態）を示している。リリース状態において、皿ばね１７は変形しておらず、キースイッチ１８はＯＦＦである。一方、図３（ｂ）は、物理キー１１が押下されている状態（押下状態）を示している。押下状態において、物理キー１１の突出部１６からの荷重で皿ばね１７が変形している。変形した皿ばね１７は、キースイッチ１８をＯＮにする。そして物理キー１１を押下する物体（例えば、ユーザの指）を物理キー１１から離すと、皿ばね１７は弾性変形して元の状態、例えば図３（ａ）に示す状態に戻る。
【００２７】
ここで、物理キー１１に対する操作と、タッチセンサ１４が検出する静電容量と、の関係について、詳細に説明する。物理キー１１が図３（ａ）に示すリリース状態から図３（ｂ）に示す押下状態に変化すると、物理キー１１および物理キー１１を押下する物体と、タッチセンサ１４と、の間の距離が短くなる。このとき、タッチセンサ１４は、物理キー１１（誘電体）と、当該物理キー１１を押下する物体と、の双方から影響を受ける。以下、タッチセンサ１４が検出する静電容量の基準値をゼロとして説明する。
【００２８】
まず図４を参照して、例えば樹脂製のタッチペンなどの誘電体によって物理キー１１が押下された場合にタッチセンサ１４が検出する静電容量について説明する。図４は、ｘ軸およびｙ軸をタッチセンサ１４上の位置、およびｚ軸を静電容量（検出値）としたグラフである。樹脂製のタッチペンなどの誘電体によって物理キー１１が押下された場合、タッチセンサ１４は、誘電体（タッチペンおよび物理キー１１）から、静電容量を減少させる影響を受ける。このため、例えば図４に示すように、基準値よりも小さい値（負の値）の静電容量が検出される。
【００２９】
続いて図５を参照して、ユーザの爪によって物理キー１１が押下された場合にタッチセンサ１４が検出する静電容量について説明する。図５は、ｘ軸およびｙ軸をタッチセンサ１４上の位置、およびｚ軸を静電容量（検出値）としたグラフである。ユーザの爪によって物理キー１１が押下された場合、タッチセンサ１４は、物理キー１１から離れて存在する導体（ユーザの指）から静電容量を増加させる影響を受けるとともに、誘電体（物理キー１１）から静電容量を減少させる影響を受ける。このため、例えば図５に示すように、物理キー１１から離れて存在するユーザの指からの影響によって一部の領域で基準値よりも大きい値（正の値）の静電容量が検出されるとともに、物理キー１１からの影響によって他の一部の領域で基準値よりも小さい値（負の値）の静電容量が検出される。
【００３０】
続いて図６を参照して、ユーザの指によって物理キー１１が押下された場合にタッチセンサ１４が検出する静電容量について説明する。図６は、ｘ軸およびｙ軸をタッチセンサ１４上の位置、およびｚ軸を静電容量（検出値）としたグラフである。ユーザの指によって物理キー１１が押下された場合、タッチセンサ１４は、導体（ユーザの指）から静電容量を増加させる影響を受けるとともに、誘電体（物理キー１１）から静電容量を減少させる影響を受ける。ここで、物理キー１１による影響と比較して、ユーザの指による影響が支配的である。このため、例えば図６に示すように、基準値よりも大きい値（正の値）の静電容量が検出される。
【００３１】
このように、樹脂製のタッチペンまたはユーザの爪で物理キー１１を操作する場合には、タッチセンサ１４によって検出される静電容量が基準値を下回ることが生じ得る。本実施形態において、タッチセンサ１４によって検出された静電容量が基準値未満となった場合、後述するようにタッチセンサ１４のキャリブレーション（自動ゼロ補正）が実行され、現在検出されている静電容量が基準値に定められる。
【００３２】
次に図７を参照して、電子機器の概略構成について説明する。電子機器は、物理キーセンサ１３と、タッチセンサ１４と、表示部１９と、通信部２０と、記憶部２１と、制御部２２と、を備える。
【００３３】
物理キーセンサ１３は、上述したように皿ばね１７およびキースイッチ１８を備え、物理キー１１に対する操作（押下操作およびリリース操作）、および物理キー１１の状態（押下状態およびリリース状態）を検出可能である。
【００３４】
タッチセンサ１４は、上述したように駆動電極および受信電極を備え、駆動電極と受信電極との間の静電容量（または静電容量の変化）を検出可能である。
【００３５】
表示部１９は、例えば液晶ディスプレイまたはＥＬディスプレイなどの表示装置を備え、多様な画面を表示可能である。
【００３６】
通信部２０は、無線または有線を介して通信を行うためのインターフェースである。
【００３７】
記憶部２１は、例えば一次記憶装置および二次記憶装置を備え、電子機器の動作に必要な多様な情報およびプログラムなどを記憶する。
【００３８】
制御部２２は、第１制御部２３および第２制御部２４を含む。
【００３９】
第１制御部２３は、専用または汎用の少なくとも一つのプロセッサを備えており、タッチセンサ１４に関する多様な処理を実行する。第１制御部２３が備えるプロセッサは、１つに限られず複数であってよい。
【００４０】
例えば第１制御部２３は、タッチセンサ１４によって検出された静電容量を示す情報を、タッチセンサ１４から取得する。続いて第１制御部２３は、取得された情報が示す静電容量に基づいて、タッチセンサ１４のキャリブレーション（自動ゼロ補正）を実行する。本実施形態において、第１制御部２３は、静電容量が基準値未満（例えば、負の値）である場合、現在検出されている静電容量を基準値に定める。具体的には、第１制御部２３は、静電容量の検出値が「−１０」である場合に、当該検出値が「０」となるように、検出値を増加（＋１０）させる補正によって、キャリブレーションを実行する。キャリブレーションのアルゴリズムには、当該補正に限られず、検出値を基準値に近付ける任意のアルゴリズムが採用可能である。
【００４１】
以下の説明において、上述のように静電容量に基づいて第１制御部２３が実行するキャリブレーションを、第１キャリブレーションともいう。
【００４２】
第２制御部２４は、専用または汎用の少なくとも１つのプロセッサを備えており、物理キーセンサ１３に関する多様な処理を実行する。第２制御部２４が備えるプロセッサは、１つに限られず複数であってよい。
【００４３】
例えば第２制御部２４は、物理キー１１に対する操作に基づいて、タッチセンサ１４のキャリブレーションを第１制御部２３に実行させる。具体的には、第２制御部２４は、物理キーセンサ１３によって検出された、物理キー１１に対する操作（押下操作およびリリース操作）および物理キー１１の状態（押下状態およびリリース状態）を示す情報を、物理キーセンサ１３から取得する。続いて第２制御部２４は、後述するように、取得された情報に基づいて、第１制御部２３にキャリブレーションを実行させるための制御信号を出力する。キャリブレーションを実行させるための制御信号は、第１制御部２３にキャリブレーションを実行させる命令を含んでもよい。
【００４４】
あるいは、第１制御部２３がタッチセンサ１４のリセット後にキャリブレーションを実行するように構成される場合、第２制御部２４は、第１制御部２３にキャリブレーションを実行させるための制御信号として、タッチセンサ１４をリセットさせる制御信号を出力してもよい。
【００４５】
以下の説明において、上述のように第２制御部２４からの制御信号に応じて第１制御部２３が実行するキャリブレーションを、第２キャリブレーションともいう。
【００４６】
物理キー１１に対する操作に基づいて実行される第２キャリブレーションによって、例えば第１キャリブレーションのみが実行される構成と比較して、以下に述べるように電子機器の利便性が向上する。以下、例えば樹脂製のタッチペンなどの誘電体で物理キー１１が押下される場合を想定した第２制御部２４の第１構成と、例えばユーザの指などの導体で物理キー１１が押下される場合を想定した第２制御部２４の第２構成と、に分けてそれぞれ説明する。
【００４７】
（第１構成）
はじめに、第１構成について説明する。例えば樹脂製のタッチペンなどの誘電体で物理キー１１が押下された場合、タッチセンサ１４が検出する静電容量は、基準値未満（例えば、負の値）となる。検出された静電容量が基準値未満となると、第１制御部２３は第１キャリブレーションを実行する。第１キャリブレーションの実行によって、例えば誘電体で物理キー１１が押下された状態で、検出される静電容量が基準値（例えば、ゼロ）に定められる。
【００４８】
その後、物理キー１１に対するリリース操作が行われると物理キー１１がリリース状態となり、物理キー１１（およびタッチペン）に含まれる誘電体とタッチセンサ１４との間の距離が増加する。タッチセンサ１４から離れる誘電体からの影響によって、検出される静電容量が増加するので、検出される静電容量が、基準値よりも大きい値（例えば、正の値）のままとなる。したがって、第１キャリブレーションのみが実行される構成において、実際にはユーザが指で操作パッド１２に触れていない状態（無操作状態）であっても、ユーザが指で操作パッド１２に触れているかのように誤動作する可能性がある。
【００４９】
第１構成にかかる第２制御部２４は、物理キー１１のリリース検出時またはリリース検出時から所定時間経過後に、第２キャリブレーションを第１制御部２３に実行させる。このように、物理キー１１のリリース後に第２キャリブレーションが実行されるので、無操作状態で検出される静電容量が基準値と略等しくなる。このため、上述した無操作状態における誤動作の発生が低減され、電子機器の利便性が向上する。
【００５０】
ここで、図８を参照して、上述の第１構成における、物理キー１１に対する操作と検出される静電容量との関係を説明する。図８に示すように、誘電体で物理キー１１が押下される（リリース状態から押下状態となる）と、タッチセンサ１４に誘電体が接近するため、検出される静電容量が基準値（ここでは、ゼロ）から減少して負の値となる。ここで第１制御部２３は、検出された静電容量が負の値となったため、第１キャリブレーションを実行する。第１キャリブレーションによって、物理キー１１が押下状態であるときに検出される静電容量が基準値に定められる。
【００５１】
続いて、物理キー１１がリリースされる（押下状態からリリース状態となる）と、タッチセンサ１４から誘電体が離れるので、検出される静電容量が基準値から増加して正の値となる。ここで第２制御部２４は、物理キー１１がリリースされたため、第２キャリブレーションを第１制御部２３に実行させる。第２キャリブレーションによって、物理キー１１がリリース状態であるときに検出される静電容量が基準値に定められる。
【００５２】
次に、図９を参照して、第１構成に係る第２制御部２４の動作について説明する。
【００５３】
ステップＳ１００：はじめに第２制御部２４は、物理キー１１に対する操作を受け付ける。
【００５４】
ステップＳ１０１：続いて第２制御部２４は、物理キー１１のリリースを検出する。
【００５５】
ステップＳ１０２：そして第２制御部２４は、物理キー１１のリリース検出時またはリリース検出時から所定時間経過後に、第２キャリブレーションを第１制御部２３に実行させる。
【００５６】
（第２構成）
次に、第２構成について説明する。例えばユーザの指などの導体で物理キー１１が押下された場合、タッチセンサ１４が検出する静電容量は、基準値よりも大きい値（例えば、正の値）となる。したがって、例えば後述する第２キャリブレーションを実行しない構成においては、実際にはユーザが（操作パッド１２ではなく）物理キー１１を操作しているにも関わらず、操作パッド１２が入力を受け付けて誤動作する可能性がある。
【００５７】
第２構成にかかる第２制御部２４は、物理キー１１の押下検出時または押下検出時から所定時間経過後に、第２キャリブレーションを第１制御部２３に実行させる。このように、物理キー１１の押下後に第２キャリブレーションが実行されるので、物理キー１１が押下状態であるときに検出される静電容量が基準値と略等しくなる。このため、上述のように操作パッド１２が入力を受け付けてしまうことによる誤動作の発生が低減され、電子機器の利便性が向上する。
【００５８】
ここで、図１０を参照して、上述の第２構成における、物理キー１１に対する操作と検出される静電容量との関係を説明する。図１０に示すように、導体で物理キー１１が押下される（リリース状態から押下状態となる）と、タッチセンサ１４に導体が接近するため、検出される静電容量が基準値（ここでは、ゼロ）から増加して正の値となる。ここで第２制御部２４は、物理キー１１が押下されたため、第２キャリブレーションを第１制御部２３に実行させる。第２キャリブレーションによって、物理キー１１が押下状態であるときに検出される静電容量が基準値に定められる。
【００５９】
続いて、物理キー１１がリリースされる（押下状態からリリース状態となる）と、タッチセンサ１４から導体が離れるので、検出される静電容量が基準値から減少して負の値となる。ここで第１制御部２３は、検出された静電容量が負の値となったため、第１キャリブレーションを実行する。第１キャリブレーションによって、物理キー１１がリリース状態であるときに検出される静電容量が基準値に定められる。
【００６０】
次に、図１１を参照して、第２構成に係る第２制御部２４の動作について説明する。
【００６１】
ステップＳ２００：はじめに第２制御部２４は、物理キー１１に対する操作を受け付ける。
【００６２】
ステップＳ２０１：続いて第２制御部２４は、物理キー１１の押下を検出する。
【００６３】
ステップＳ２０２：そして第２制御部２４は、物理キー１１の押下検出時または押下検出時から所定時間経過後に、第２キャリブレーションを第１制御部２３に実行させる。
【００６４】
本実施形態において、第２制御部２４を、上述した第１構成および第２構成を組み合わせた構成としてもよい。すなわち、第２制御部２４は、物理キー１１の押下検出時または押下検出時から所定時間経過後、および、物理キー１１のリリース検出時またはリリース検出時から所定時間経過後、の双方で、第２キャリブレーションを第１制御部２３に実行させてもよい。
【００６５】
以上述べたように、本発明の実施形態に係る電子機器は、物理キーセンサ１３と、タッチセンサ１４と、制御部２２と、を備える。そして、制御部２２は、物理キー１１に対する操作に基づき、タッチセンサ１４の第２キャリブレーションを実行する。かかる構成によって、タッチセンサ１４の誤動作の発生が低減されるので、電子機器の利便性が向上する。
【００６６】
本発明を諸図面および実施例に基づき説明してきたが、当業者であれば本開示に基づき種々の変形および修正を行うことが容易であることに注意されたい。したがって、これらの変形および修正は本発明の範囲に含まれることに留意されたい。例えば、各機能部、各手段、各ステップなどに含まれる機能などは論理的に矛盾しないように再配置可能であり、複数の機能部およびステップなどを１つに組み合わせたり、あるいは分割したりすることが可能である。また、上述した本発明の各実施形態は、それぞれ説明した各実施形態に忠実に実施することに限定されるものではなく、適宜、各特徴を組み合わせたり、一部を省略したりして実施することもできる。
【００６７】
例えば、制御部２２は、基準値よりも大きい値（正の値）の静電容量がタッチセンサ１４において検出されるときに、タッチセンサ１４のキャリブレーションが実行されると、当該正の値が生じなかったとして判断してよい。この場合、制御部２２は、物理キー１１の押下に基づきタッチセンサ１４のキャリブレーションを実行することで、物理キー１１が操作されたときのタッチセンサ１４の検出をキャンセルすることができる。かかる構成を採用する電子機器では、例えば、表示された画面において、タッチセンサへのロングタップで動作するアイコンのうえに選択カーソルが位置しているときに、当該アイコンに対する誤った処理を低減することができる。
【００６８】
また、上述した実施形態において、制御部２２が第１制御部２３および第２制御部２４を備える構成について説明したが、制御部２２は、第１制御部２３および第２制御部２４と同様に機能する１つのプロセッサで構成されてもよい。また例えば、上述したタッチセンサ１４および第１制御部２３は、１つの装置として構成されてもよい。
【００６９】
また、上述した実施形態において、第１構成にかかる第２制御部２４が、物理キー１１のリリース検出時またはリリース検出時から所定時間経過後に、第２キャリブレーションを第１制御部２３に実行させる構成について説明したが、物理キー１１の押下に基づいて第２キャリブレーションを実行してもよい。具体的には、第２制御部２４は、物理キー１１の押下検出時から予め定められた時間（例えば、物理キー１１が押下されてからリリースされるまでに要すると推測される時間）が経過したときに、第２キャリブレーションを第１制御部２３に実行させてもよい。かかる構成によっても、物理キー１１のリリース後に第２キャリブレーションが実行される蓋然性が高いので、上述した実施形態と同様に、無操作状態における誤動作の発生が低減され、電子機器の利便性が向上する。
【００７０】
また、上述した実施形態において、第２制御部２４が、キャリブレーションを実行させるための制御信号を第１制御部２３へ送信する構成について説明したが、キャリブレーションを実行させる構成はこれに限られない。例えば、本発明の実施形態の変形例として、第１制御部２３（およびタッチセンサ１４）が、動作停止状態（例えば、電源ＯＦＦ）から動作状態（例えば、電源ＯＮ）になると（すなわち、再起動すると）キャリブレーションを実行する構成において、第２制御部２４が、第１制御部２３（およびタッチセンサ１４）再起動させる構成が考えられる。
【００７１】
上述した変形例において、例えば図１２に示すように、第２制御部２４は、物理キー１１の押下の検出時または当該検出時から所定時間経過後に、第１制御部２３（およびタッチセンサ１４）の電源をＯＦＦにする。そして第２制御部２４は、物理キー１１のリリースの検出時または当該検出時から所定時間経過後に、第１制御部２３（およびタッチセンサ１４）の電源をＯＮにする。あるいは、第２制御部２４は、物理キー１１の押下の検出時から比較的長い所定時間の経過後に、第１制御部２３の電源をＯＮにする。ここで第１制御部２３は、電源がＯＮになるとキャリブレーションを実行するので、タッチセンサ１４によって検出される静電容量が基準値になる。
【００７２】
このように、上述した変形例において、第２制御部２４が第１制御部２３（およびタッチパネル）を再起動させることによってキャリブレーションを実行させる。変形例によっても、上述した実施形態と同様に、電子機器の利便性が向上する。
【符号の説明】
【００７３】
１０    電子機器
１１    物理キー
１２    操作パッド
１３    物理キーセンサ
１４    タッチセンサ
１５    基板
１６    突出部
１７    皿ばね
１８    キースイッチ
１９    表示部
２０    通信部
２１    記憶部
２２    制御部
２３    第１制御部
２４    第２制御部
【図１】
2017142782.tif 000003
【図２】
2017142782.tif 000004
【図３】
2017142782.tif 000005
【図４】
2017142782.tif 000006
【図５】
2017142782.tif 000007
【図６】
2017142782.tif 000008
【図７】
2017142782.tif 000009
【図８】
2017142782.tif 000010
【図９】
2017142782.tif 000011
【図１０】
2017142782.tif 000012
【図１１】
2017142782.tif 000013
【図１２】
2017142782.tif 000014